(57)【要約】      （修正有）【課題】双排気管構造を備え、布団及びマットレスを同時に乾燥でき、湿気を全て除去し、乾燥区域をより広くし、作動時間を短縮させ、乾燥の効率を向上させる双管式布団乾燥機を提供する。【解決手段】双管式布団乾燥機は、内部にモータ４が取付られる主筐体を含み、モータの出力軸にインペラ２、６が取付られ、且つインペラ上にブリードフード１、７が被覆され、ブリードフードに吸気端及び排気端が設置され、外部の気流がブリードフード上の吸気端を通過した後、ブリードフードの内部に入り、且つインペラを通過した後、ブリードフード上の排気端から出力し、且つブリードフードの排気端が発熱部と接続し、発熱部中に発熱器１６が設置され、発熱部の出力端にそれぞれ二つの排気管１２、１３が接続される。【選択図】図２
0003207284.tif 000002
【実用新案登録請求の範囲】
【請求項１】
内部にモータが取付られる主筐体を含み、前記モータの出力軸にインペラが取付られ、且つ該インペラ上にブリードフードが被覆され、前記ブリードフードに吸気端及び排気端が設置され、外部の気流はブリードフード上の吸気端を通過した後、該ブリードフードの内部に入り、且つインペラを通過した後、ブリードフード上の排気端から出力され、且つブリードフードの排気端が発熱部と接続し、前記発熱部中に発熱器が設置され、発熱部の出力端にそれぞれ二つの排気管が接続されることを特徴とする双管式布団乾燥機。
【請求項２】
前記モータが双軸モータとし、且つ双軸モータの両端に出力軸がそれぞれ設置され、且つこの出力軸にインペラが取付られることを特徴とする請求項１に記載の双管式布団乾燥機。
【請求項３】
前記ブリードフードの排気端が前記インペラの下方に設置され、且つ前記ブリードフードの排気端底端が前記主筐体の底端と平行であることを特徴とする請求項２に記載の双管式布団乾燥機。
【請求項４】
前記排気管の吸気口がホースジョイントにより発熱部と接続し、前記排気管の吸気口と排気口との間に屈曲部が設置され、前記排気管の排気口が前記主筐体外に鉛直に延長することを特徴とする請求項３に記載の双管式布団乾燥機。
【請求項５】
前記排気管の排気口に乾燥架ジョイント及び／或は排気口ジョイントが接続されることを特徴とする請求項４に記載の双管式布団乾燥機。
【請求項６】
前記発熱部内に発熱器ホルダが設置され、前記発熱器が前記発熱器ホルダに固定されることを特徴とする請求項５に記載の双管式布団乾燥機。
【請求項７】
前記双軸モータの両側にそれぞれ左、右モータ固定板が設置され、且つ左、右モータ固定板がそれぞれブリードフードと接続する請求項６に記載の双管式布団乾燥機。
【考案の詳細な説明】
【技術分野】
【０００１】
本考案は布団（綿入れの布団）乾燥機製品分野に関し、具体的には双管式布団乾燥機に関する。
【背景技術】
【０００２】
亜熱帯海洋性季風気候の地区において、毎年３月から４月にかけて、海洋からの暖かく湿った気流が、北方からの南下の冷空気と遇うと、中国の嶺南に準定常正面を形成し、一部分の地区で陰雨が連綿と続き、非常に湿っぽい「南天戻り」現象を発生する。「南天戻り」現象が発生する時、ベッド上の布団が極めて湿りやすくなり、布団が湿った場合に乾燥されなかったら、人々の睡眠快適度に影響し、ひいては発病することがある。このため現在、市場にはいくつかの布団乾燥機があるが、主に単管による排気構造を採用しているものは、その乾燥効率が低く、且つマットレスの除湿乾燥を無視しており、マットレスが通風しされず、長く積累された湿気が除去されにくく、且つ単管で布団を乾燥する場合には、布団から散発される湿気は、一部が上に向かって外に散発する一方で、残りの部分が下に向かってマットレス内及びマットレスの下に浸透し、一定期間経つと湿気がまたマットレスの上に戻ることになるため、その乾燥効果が良くない。
【考案の概要】
【考案が解決しようとする課題】
【０００３】
前記欠陥を克服する為に、本考案の目的は、双管式布団乾燥機を提供することにある。
【課題を解決するための手段】
【０００４】
本考案の目的は以下の技術方案により実現される。
【０００５】
本考案は双管式布団乾燥機は、内部にモータが取付られる主筐体を含み、前記モータの出力軸にインペラが取付られ、且つ該インペラ上にブリードフードが被覆され、前記ブリードフードに吸気端及び排気端が設置され、外部の気流がブリードフード上の吸気端を通過した後、該ブリードフードの内部に入り、且つインペラを通過した後、ブリードフード上の排気端から出力し、且つブリードフードの排気端が発熱部と接続し、前記発熱部中に発熱器が設置され、発熱部の出力端にそれぞれ二つの排気管が接続される。
【０００６】
さらに、前記モータが双軸モータとし、且つ双軸モータの両端に出力軸がそれぞれ設置され、且つこの出力軸にインペラが取付られる。
【０００７】
さらに、前記ブリードフードの排気端が前記インペラの下方に設置され、且つ前記ブリードフードの排気端底端が前記主筐体の底端と平行である。
【０００８】
さらに、前記排気管の吸気口がホースジョイントにより発熱部と接続し、前記排気管の吸気口と排気口との間に屈曲部が設置され、前記排気管の排気口が前記主筐体外に鉛直に延長する。
【０００９】
さらに、前記排気管の排気口に乾燥架ジョイント及び／或は排気口ジョイントが接続される。
【００１０】
さらに、前記発熱部内に発熱器ホルダが設置され、前記発熱器が前記発熱器ホルダに固定される。
【００１１】
さらに、前記双軸モータの両側にそれぞれ左、右モータ固定板が設置され、且つ左、右モータ固定板がそれぞれブリードフードと接続する。
【考案の効果】
【００１２】
本考案は双重排気管構造を備え、布団及びマットレスを同時に乾燥でき、湿気を全て除去し、乾燥区域がより広くなり、作動時間を短縮させ、乾燥の効率を向上させる。
【図面の簡単な説明】
【００１３】
【図１】は本考案の一実施例の分解構造見取図である。
【図２】は本考案の他の実施例の分解構造見取図である。
【考案を実施するための形態】
【００１４】
本考案の目的は、技術方案及び長所をより明瞭に明白させるために、以下の図面及び実施例を結合して、本考案についてさらに詳しく説明する。ここで説明される具体的実施例は本考案を解釈するだけのものであり、本考案を限定するものではないことを理解すべきである。
【００１５】
図１にて参照されるように、本考案による双管式布団乾燥機は、モータ固定板２１によりモータ２２に取付られる主筐体（未図示）を含み、前記モータ２２の出力軸にインペラ２０が取付られ、且つ該インペラ２０上にブリードフード２１が被覆され、モータ固定板２１がブリードフード２１と接続され、前記ブリードフード１９上に吸気端及び排気端がそれぞれ設置される。外部の気流は、ブリードフード上の吸気端を通過した後、該ブリードフード１９の内部に入り、且つインペラ２０を通過した後、ブリードフード１９上の排気端内から出力される。更にブリードフード１９の排気端が発熱部と接続され、前記発熱部内に発熱器１６が設置され、且つ発熱部の出力端が分流通路を介してそれぞれ左排気管１３及び右排気管１２と接続され、前記分流通路が分流通路上機構１８と分流通路下機構１９とを相互に嵌合することにより形成される。
【００１６】
以下、図２を参照して、他の実施例により本考案の双管式布団乾燥機について説明する。前記双管式布団乾燥機は、内部に双軸モータ４が取付られる主筐体（未図示）含み、前記双軸モータ４の両出力軸にそれぞれ左インペラ２及び右インペラ６が取付られ、且つ該左インペラ２及び右インペラ６上にそれぞれ左ブリードフード１及び右ブリードフード７が被覆され、前記ブリードフード上に吸気端及び排気端が設置される。外部の気流は、ブリードフード上の吸気端を通過した後、該ブリードフードの内部に入り、且つインペラを通過した後、ブリードフード上の排気端内から出力される。両ブリードフードの排気端はそれぞれ発熱部と接続され、前記発熱部内に発熱器１６が設置され、発熱器１６はＰＴＣ或は発熱糸であり、且つ発熱部の出力端に左排気管１３及び右排気管１２がそれぞれ接続される。
【００１７】
さらに、前記ブリードフードの排気端が前記インペラの下方に設置され、且つ前記ブリードフードの排気端底端が前記主筐体（未図示）の底端と平行である。これにより、排気管の吸気口が本考案による双管式布団乾燥機の最底部に位置され、その全体の体積が減少される。
【００１８】
さらに、前記左排気管１３及び右排気管１２の吸気口は、それぞれ左ホースジョイント１５及び右ホースジョイント１４を介して発熱部と接続され、前記排気管の吸気口と排気口との間に屈曲部が設置され、前記排気管の排気口が鉛直に前記主筐体（未図示）の外に延長する。排気管は、その底部にホースジョイントが接続された後、９０度屈曲して垂直に上に向かって鉛直に放置され、且つ主筐体（未図示）と固定され、排気口を筐体外に露出させ、排気管を格納自在にさせる。
【００１９】
さらに、前記左排気管１３及び右排気管１２の排気口には、左、右乾燥架ジョイント８、９及び／或は左、右排気口ジョイント１１、１０がそれぞれ接続される。実際の使用において、使用の需要により、排気口に乾燥架ジョイント或は排気口ジョイントを選択して取付し、乾燥架ジョイントにより排気管を外延させ、これにより布団、マットレス、靴及び衣服を乾燥できる。
【００２０】
さらに、前記発熱部内には発熱器ホルダ１７が設置され、前記発熱器１６が前記発熱器ホルダ１７に固定される。左、右ブリードフード１、７からの気流は発熱器に集中して吹き送られ、発熱器ホルダ１７により通過する気流が二つの出口に分けられ、また左、右ブリードフード１、７はホースジョイントと接続され、排気管と接続させる。
【００２１】
さらに、前記双軸モータ４の両側にそれぞれ左モータ固定板３及び右モータ固定板５が設置され、且つ左、右モータ固定板３、５がそれぞれ左、右ブリードフード１、７と接続される。
【００２２】
本考案は更に、衣物、靴子、マットレス等の乾燥に適用でき、双管の乾燥形式を採用して、衣服、布団マットレス及び乾燥し、暖かい気流を対流させ、通気性を強化させ、受熱面をより広くさせる。靴を乾燥する場合には、双管を同時に使用し、除湿時間を短縮させる。単管布団乾燥機により布団を乾燥する場合には、靴子の乾燥時間が長過ぎ、乾燥面積をより広くなり、乾燥時間を短縮させるために、双管式布団機の乾燥を設計して５０％−７０％の効率を向上させる。単管布団乾燥機の場合には、一回で一つのキルトだけを乾燥でき、それに従って一つの靴を乾燥でき、双管式布団乾燥機の場合には、同時に二つのキルトを乾燥でき、それに従って同時に一対の靴を乾燥できる。
【００２３】
凡よそ本考案の精神及び原則内で提出される如何なる修正、等同の取り替え及び改進等は、本考案の保護範囲内に包含されすべきである。
【図１】
0003207284.tif 000003
【図２】
0003207284.tif 000004